(57)【要約】【課題】熱セット時の孔部の変形を抑制することにより、孔部の周辺における厚さおよび伸縮性の不所望な変化を低減するとともに、経編地のデザイン性を高める。【解決手段】同一ウェール上に編成された抜き糸部と、緯方向において抜き糸部の両側に位置し、抜き糸部と連結された支持組織と、支持組織と抜き糸部との間の各々に設けられたヘム部と、抜き糸部の両側に位置する支持組織を経方向において間隔をあけて互いに連結する連結部とを含む、生機を順次編み上げる(Ｓ１)。【選択図】図１
2018016919.tif 000002
【特許請求の範囲】
【請求項１】
同一ウェール上に編成された抜き糸部と、緯方向において前記抜き糸部の両側に位置し、前記抜き糸部と連結された支持組織と、該支持組織と前記抜き糸部との間の各々に設けられたヘム部と、前記抜き糸部の両側に位置する前記支持組織を経方向において間隔をあけて互いに連結する連結部と含む、生機を順次編み上げる、経編地の製造方法。
【請求項２】
前記生機を熱セットする工程と、
熱セットされた前記生機から前記抜き糸部を抜き取る工程とをさらに備える、請求項１に記載の経編地の製造方法。
【請求項３】
同一ウェール上に編成された抜き糸部と、
緯方向において前記抜き糸部の両側に位置し、前記抜き糸部と連結された支持組織と、
該支持組織と前記抜き糸部との間の各々に設けられたヘム部と、
前記抜き糸部の両側に位置する前記支持組織を経方向において間隔をあけて互いに連結する連結部とを備える、生機。
【請求項４】
請求項３に記載の生機から形成された経編地であって、
前記抜き糸部と前記連結部とが重なっていない位置に形成された前記経方向に延在する孔部の前記緯方向の両側に位置する前記支持組織と、
前記孔部の前記緯方向の両縁に位置する前記ヘム部と、
前記孔部の前記経方向の両縁を構成し、前記孔部の両側に位置する前記支持組織を互いに連結する前記連結部とを備える、経編地。
【請求項５】
経方向に延在する孔部の緯方向の両側に位置する支持組織と、
前記孔部の前記緯方向の両縁に位置するヘム部と、
前記孔部の前記経方向の両縁を構成し、前記孔部の両側に位置する前記支持組織を互いに連結する連結部とを備える、経編地。
【発明の詳細な説明】
【技術分野】
【０００１】
本発明は、経編地の製造方法、それにより製造された生機および経編地に関する。
【背景技術】
【０００２】
孔部を有する経編地を開示した先行文献として、特開２０１５−１９６９１１号公報(特許文献１)がある。特許文献１に記載された経編地においては、ジャカード編成組織によって孔部を形成している。
【先行技術文献】
【特許文献】
【０００３】
【特許文献１】特開２０１５−１９６９１１号公報
【発明の概要】
【発明が解決しようとする課題】
【０００４】
図７は、ジャカード編成組織により孔部を形成した生機の従来例の形状を示す平面図である。図７に示すようにジャカード編成組織により矩形状の孔部９１が形成された従来例の生機９０が、染色および熱セットされることにより、経編地が形成される。
【０００５】
図８は、従来例の生機から形成された経編地の形状を示す平面図である。図８に示すように、従来例の生機９０から形成された経編地９０ａにおいては、熱セットの際に負荷された引張荷重によって孔部９１が緯方向に広がって矩形状を維持することができない。そのため、ジャカード編成組織により孔部を形成した場合、熱セット時の孔部の変形により、経編地のデザインに制約が課されていた。また、孔部９１が緯方向に広がることにより、経編地において孔部近傍に位置する部分および孔部同士に挟まれている部分の編地の密度が高くなる。編地の密度が高くなっている部分は、他の部分に比較して厚さが増すとともに、伸縮性が低下する。その結果、経編地の厚さおよび伸縮性が孔部の周辺において不所望に変化する。
【０００６】
本発明は上記の問題点に鑑みてなされたものであって、熱セット時の孔部の変形を抑制することにより、孔部の周辺における厚さおよび伸縮性の不所望な変化が低減され、デザイン性が高い、経編地の製造方法、それにより製造された生機および経編地を提供することを目的とする。
【課題を解決するための手段】
【０００７】
本発明の第１側面に基づく経編地の製造方法は、同一ウェール上に編成された抜き糸部と、緯方向において抜き糸部の両側に位置し、抜き糸部と連結された支持組織と、支持組織と抜き糸部との間の各々に設けられたヘム部と、抜き糸部の両側に位置する支持組織を経方向において間隔をあけて互いに連結する連結部とを含む、生機を順次編み上げる。
【０００８】
本発明の一形態においては、生機を熱セットする工程と、熱セットされた生機から抜き糸部を抜き取る工程とをさらに備える。
【０００９】
本発明の第２側面に基づく生機は、同一ウェール上に編成された抜き糸部と、緯方向において抜き糸部の両側に位置し、抜き糸部と連結された支持組織と、支持組織と抜き糸部との間の各々に設けられたヘム部と、抜き糸部の両側に位置する支持組織を経方向において間隔をあけて互いに連結する連結部とを備える。
【００１０】
本発明の第３側面に基づく経編地は、上記の生機から形成された経編地であって、抜き糸部と連結部とが重なっていない位置に形成された上記経方向に延在する孔部の上記緯方向の両側に位置する支持組織と、孔部の緯方向の両縁に位置するヘム部と、孔部の上記経方向の両縁を構成し、孔部の両側に位置する支持組織を互いに連結する連結部とを備える。
【００１１】
本発明の第４側面に基づく経編地は、経方向に延在する孔部の緯方向の両側に位置する支持組織と、孔部の上記緯方向の両縁に位置するヘム部と、孔部の上記経方向の両縁を構成し、孔部の両側に位置する支持組織を互いに連結する連結部とを備える。
【発明の効果】
【００１２】
本発明によれば、熱セット時の孔部の変形を抑制することにより、孔部の周辺における厚さおよび伸縮性の不所望な変化を低減するとともに、経編地のデザイン性を高めることができる。
【図面の簡単な説明】
【００１３】
【図１】本発明の一実施形態に係る経編地の製造方法を示すフローチャートである。
【図２】本発明の一実施形態に係る生機の構成を示す平面図である。
【図３】本発明の一実施形態に係る生機を編成する筬の各々の基本動作を示す編成組織図である。
【図４】本発明の一実施形態に係る生機の編成組織図である。
【図５】本発明の一実施形態に係る生機から抜き糸部を抜き取った状態を示す編成組織図である。
【図６】本発明の一実施形態に係る経編地の構成を示す平面図である。
【図７】ジャカード編成組織により孔部を形成した生機の従来例の形状を示す平面図である。
【図８】従来例の生機から形成された経編地の形状を示す平面図である。
【発明を実施するための形態】
【００１４】
以下、本発明の一実施形態に係る経編地の製造方法、それにより製造された生機および経編地について図を参照して説明する。以下の実施形態の説明においては、図中の同一または相当部分には同一符号を付して、その説明は繰返さない。
【００１５】
なお、本実施形態においては、編成装置により編み上げられて、染色処理などの後工程を経ていない経編地を生機と称する。生機に染色処理などの後工程を施した後、後述する抜き糸部が抜き取られて孔部が形成されたものを経編地と称する。
【００１６】
図１は、本発明の一実施形態に係る経編地の製造方法を示すフローチャートである。図２は、本発明の一実施形態に係る生機の構成を示す平面図である。図３は、本発明の一実施形態に係る生機を編成する筬の各々の基本動作を示す編成組織図である。図４は、本発明の一実施形態に係る生機の編成組織図である。図５は、本発明の一実施形態に係る生機から抜き糸部を抜き取った状態を示す編成組織図である。図６は、本発明の一実施形態に係る経編地の構成を示す平面図である。
【００１７】
図１，２に示すように、本発明の一実施形態に係る経編地の製造方法においては、同一ウェール上に編成された抜き糸部１３と、緯方向において抜き糸部１３の両側に位置し、抜き糸部１３と連結された支持組織１１と、支持組織１１と抜き糸部１３との間の各々に設けられたヘム部１２と、抜き糸部１３の両側に位置する支持組織１１を経方向において間隔をあけて互いに連結する連結部１４とを含む、生機１０を順次編み上げる(Ｓ１)。
【００１８】
生機１０は、連結部１４によって支持組織１１同士が連結されている領域以外の第１領域１と、経方向において間隔をあけて隣り合う連結部１４同士のうちの一方の連結部１４が位置する第２領域２と、経方向において間隔をあけて隣り合う連結部１４同士のうちの他方の連結部１４が位置する第３領域３とを含む。
【００１９】
本実施形態においては、支持組織１１は、第１筬に糸通しされた非弾性糸２１と、第２筬に糸通しされた弾性糸２２とから構成されている。第１筬の基本動作は、図３(Ａ)に示すように、１２／１２／１２／１０／１０／１０／／の繰り返し単位を有する。第２筬の基本動作は、図３(Ｂ)に示すように、２２／１１／３３／１１／２２／００／／の繰り返し単位を有する。
【００２０】
抜き糸部１３およびヘム部１２の各々は、第３筬に糸通しされた非弾性糸２３で構成されている。第３筬の基本動作は、図３(Ｃ)に示すように、０１／１０／／の繰り返し単位を有する。抜き糸部１３およびヘム部１２は、いわゆる鎖編みで構成されている。
【００２１】
連結部１４は、第４筬に糸通しされた非弾性糸２４で構成されている。なお、連結部１４は、弾性糸で構成されていてもよい。第４筬の基本動作は、生機１０の第１領域１においては図３(Ｄ)に示すように、１１／００／／の繰り返し単位２４ａを有し、生機１０の第２領域２においては図３(Ｅ)に示すように、７７／４４／５５／２２／３３／００の基本単位２４ｂを有し、生機１０の第３領域３においては図３(Ｆ)に示すように、３３／２２／５５／４４／７７／６６の基本単位２４ｃを有する。
【００２２】
本実施形態においては、非弾性糸２１，２３，２４の各々は、材料がナイロン６，６、太さが４４ｄｔｅｘ／３４ｆである、丸断面のブライト繊維からなる。ただし、非弾性糸２１，２３，２４の各々の材料は、ナイロン６，６に限られず、他のナイロン若しくはポリエステルなどの合成繊維、レーヨン若しくはアセテートなどの再生繊維、または、綿などの天然繊維でもよい。非弾性糸２１，２３，２４の各々は、フィラメント糸に限られず、紡績糸、交撚糸または加工糸などでもよい。非弾性糸２１，２３，２４の各々の太さは、特に制限されない。
【００２３】
本実施形態においては、弾性糸２２は、材料がポリウレタン、太さが３１０ｄｔｅｘである、レギュラータイプの繊維からなる。ただし、弾性糸２２の材料は、ポリウレタンに限られず、他の弾性繊維でもよい。弾性糸２２の太さは、特に制限されない。
【００２４】
図４に示すように、抜き糸部１３を構成する非弾性糸２３と、緯方向において抜き糸部１３の両側に位置する支持組織１１の各々を構成する弾性糸２２とは、６コース毎に連結されている。これにより、抜き糸部１３と、緯方向において抜き糸部１３の両側に位置する支持組織１１の各々とが、互いに連結されている。
【００２５】
なお、複数の弾性糸２２のうちの、抜き糸部１３を構成する非弾性糸２３と６コース毎に連結されている弾性糸２２は、他の弾性糸２２とは太さが異なっていてもよい。具体的には、抜き糸部１３を構成する非弾性糸２３と６コース毎に連結されている弾性糸２２は、他の弾性糸２２より太くてもよい。また、抜き糸部１３と、緯方向において抜き糸部１３の両側に位置する支持組織１１の各々とを連結するために、支持組織１１とは異なる他の組織が設けられていてもよい。この場合、他の組織は、弾性糸で構成されている。
【００２６】
図２，４に示すように、生機１０においては、連結部１４は、抜き糸部１３の両側に位置する支持組織１１を、経方向の一方向に進むに従って緯方向の向きを交互に変えて連結している。すなわち、一方の連結部１４の基本単位２４ｂは、経方向の一方向に進むに従って段階的に緯方向の一方向に変位している。これにより、一方の連結部１４は、図４に示す、第２領域２の下方かつ抜き糸部１３の左側に位置する支持組織１１と、第２領域２の上方かつ抜き糸部１３の右側に位置する支持組織１１とを、互いに連結している。他方の連結部１４の基本単位２４ｃは、経方向の一方向に進むに従って段階的に緯方向の他方向に変位している。これにより、他方の連結部１４は、図４に示す、第３領域３の下方かつ抜き糸部１３の右側に位置する支持組織１１と、第３領域３の上方かつ抜き糸部１３の左側に位置する支持組織１１とを、互いに連結している。
【００２７】
図２，４においては、１つの抜き糸部１３と交差するように設けられた２つの連結部１４を図示しているが、１つの抜き糸部１３と交差するように３つ以上の連結部１４が互いに経方向に間隔をあけて設けられていてもよい。この場合も、３つ以上の連結部１４は、抜き糸部１３の両側に位置する支持組織１１を、経方向に並ぶ連結部１４毎に緯方向の向きを交互に変えて連結している。
【００２８】
図１に示すように、本発明の一実施形態に係る経編地の製造方法においては、図２，４に示すように順次編み上げた生機１０を、染色処理する工程の前および染色処理する工程の後の少なくとも一方において熱セットする(Ｓ２)。熱セットする工程(Ｓ２)においては、生機１０は、経方向および緯方向の両方に引っ張られた状態で加熱される。
【００２９】
本実施形態に係る生機１０は、緯方向において抜き糸部１３の両側に位置する支持組織１１の各々が抜き糸部１３と連結されているため、熱セット時に生機１０が抜き糸部１３において緯方向に広がることを抑制することができる。
【００３０】
図１，５に示すように、本発明の一実施形態に係る経編地の製造方法においては、熱セットされた生機１０から抜き糸部１３を抜き取って経編地１０ａを形成する(Ｓ３)。具体的には、抜き糸部１３を構成していた非弾性糸２３を経方向に引き抜くことにより、図６に示すように、抜き糸部１３と連結部１４とが重なっていない位置に、経方向に延在する孔部１５が形成される。
【００３１】
このとき、抜き糸部１３と支持組織１１とを連結していた部分の弾性糸２２は、自らの弾性復元力によって支持組織１１側に引き寄せられて、ヘム部１２を構成している非弾性糸２３と係合する。よって、孔部１５を形成する際に解れおよび糸の飛び出しが生じることがない。
【００３２】
経編地１０ａにおいては、支持組織１１は、孔部１５の緯方向の両側に位置している。ヘム部１２は、孔部１５の緯方向の両縁に位置している。連結部１４は、孔部１５の経方向の両縁を構成し、孔部１５の両側に位置する支持組織１１を互いに連結している。
【００３３】
本発明の一実施形態に係る経編地の製造方法においては、熱セットする工程(Ｓ２)の後、抜き糸部１３を抜き取って孔部１５を形成することにより、孔部１５が熱セットの際に負荷される引張荷重によって変形することを抑制できる。これにより、図６に示すように、矩形状の形状を維持した孔部１５を有する経編地１０ａを形成することができる。このように、熱セット時の孔部１５の変形を抑制することにより、孔部１５の周辺における厚さおよび伸縮性の不所望な変化が低減された、デザイン性の高い経編地１０ａを製造することができる。
【００３４】
なお、経編地１０ａに、経方向に３つ以上の連結部１４が互いに間隔をあけて設けられていてもよい。この場合、経編地１０ａに、経方向に並ぶ複数の孔部１５を設けることができる。また、支持組織１１、ヘム部１２および連結部１４の各々の編成は、本実施形態に係る経編地１０ａの編成に限られず、孔部１５を形成可能な編成であればよい。すなわち、支持組織、ヘム部および連結部の各々の編み組織の組み合わせは、上記に限られない。孔部１５の形状は、矩形に限られず、その他の形状であってもよい。経編地１０ａを構成する弾性糸および非弾性糸の組み合わせは、上記に限られない。
【００３５】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３６】
１  第１領域、２  第２領域、３  第３領域、１０，９０  生機、１０ａ，９０ａ  経編地、１１  支持組織、１２  ヘム部、１３  抜き糸部、１４  連結部、１５，９１  孔部、２１，２３，２４  非弾性糸、２２  弾性糸、２４ａ  繰り返し単位、２４ｂ，２４ｃ  基本単位。
【図１】
2018016919.tif 000003
【図２】
2018016919.tif 000004
【図３】
2018016919.tif 000005
【図４】
2018016919.tif 000006
【図５】
2018016919.tif 000007
【図６】
2018016919.tif 000008
【図７】
2018016919.tif 000009
【図８】
2018016919.tif 000010
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
同一ウェール上に編成された抜き糸部と、緯方向において前記抜き糸部の両側に位置し、前記抜き糸部と連結された支持組織と、該支持組織と前記抜き糸部との間の各々に設けられたヘム部と、前記抜き糸部の両側に位置する前記支持組織を経方向において間隔をあけて互いに連結する連結部と含む、生機を順次編み上げる、生機の製造方法。
【請求項２】
請求項１に記載の生機の製造方法によって製造された前記生機を熱セットする工程と、
熱セットされた前記生機から前記抜き糸部を抜き取る工程とを備える、経編地の製造方法。
【請求項３】
同一ウェール上に編成された抜き糸部と、
緯方向において前記抜き糸部の両側に位置し、前記抜き糸部と連結された支持組織と、
該支持組織と前記抜き糸部との間の各々に設けられたヘム部と、
前記抜き糸部の両側に位置する前記支持組織を経方向において間隔をあけて互いに連結する連結部とを備える、生機。
【手続補正３】
【補正対象書類名】明細書
【補正対象項目名】０００１
【補正方法】変更
【補正の内容】
【０００１】
本発明は、生機の製造方法、それにより製造された生機、および、その生機を用いて製造される経編地の製造方法に関する。
【手続補正４】
【補正対象書類名】明細書
【補正対象項目名】０００６
【補正方法】変更
【補正の内容】
【０００６】
本発明は上記の問題点に鑑みてなされたものであって、熱セット時の孔部の変形を抑制することにより、孔部の周辺における厚さおよび伸縮性の不所望な変化が低減され、デザイン性が高い、生機の製造方法、それにより製造された生機、および、その生機を用いて製造される経編地の製造方法を提供することを目的とする。